(57)【要約】      （修正有）【課題】印鑑に押印回数表示機能を備えた印鑑、及び既存の印鑑に押印カウンター機能を装着したアダプタータイプの附属具を提供する。【解決手段】押印圧力でバネ５の収縮作用で検知スイッチ４が入り、押印後はバネ５の弾性によりスイッチ４は元の位置に戻り、押印パルス情報はデジタル制御処理を行い表示部３に押印回数を表示する。押印回数表示では必要に応じて日、月、年、総累計などで回数を集計表示する。既存印鑑についてはアダプタタイプの附属具を装備する。一体型では先の印鑑部と本装備を印鑑の一部として印鑑製造の段階から一括作製することで印鑑サイズで押印回数情報把握が可能となる。無線ＮＷ、指紋セキュリティ機能付加により印鑑使用者の限定や不正押印の早期発見、軽率な誤印の未然に防止するなど安心・安全な社会形成の一環として貢献可能となる。【選択図】図１
2009298152.tif 000002
【特許請求の範囲】
【請求項１】
印鑑に押印カウンタ機能を備えた一体型の押印回数表示機能つき印鑑
【請求項２】
既存の印鑑に押印カウンター機能を装着し片手で押印できることを特徴としたアダプタータイプの附属具
【請求項３】
印鑑及び附属具における時計機能と押印日時の記憶機能
【請求項４】
印鑑及び附属具における、無線ＬＡＮ装置、小型カメラ装置、指紋認証装置、電動ロック爪つき印鑑収納機能
【発明の詳細な説明】
【技術分野】
【０００１】
本発明は、押印回数の確認ができる印鑑に関するものである。
【背景技術】
【０００２】
印鑑は、広く公用証明の証として用いられており、個人、法人、団体を問わず複数の印鑑を所有している。
【０００３】
現在、個人情報保護、情報漏えい防止などますますコンプライアンスの重要性が高まっており、行動に際してはその都度、実印、銀行印、認め印などの印鑑を用いて実行の確認、本人または企業の行動の確かな証として多く用いられている。
【０００４】
日々の押印についてその回数の増加に伴い印鑑の使用状況の把握が困難となっている。
【０００５】
押印管理簿の使用により押印実施日時、回数、理由などにより管理する必要があるが、管理が煩雑な点と印鑑の不正利用された場合の発見が遅れるという問題があった。
【０００６】
この改善策として、専用装置を使用して押印の都度、押印時間、押印回数を把握するという方法があるが、装置が大掛かりなものとなり、個人が手軽に所有しにくく利用しにくい点がある。手軽な印鑑の使用履歴の把握が待たれている。
【先行技術文献】
【特許文献】
【０００７】
【特許文献１】特開２００７−６２２６２号広報
【発明の概要】
【発明が解決しようとする課題】
【０００８】
解決しようとする問題点は、印鑑ごとに押印回数を表示させる機能を提供する点である。
【課題を解決するための手段】
【０００９】
印鑑に押印時の押印カウンタ機能を備えた一体型印鑑及び、既存の印鑑に押印時の押印カウンター機能を持った附属具を装着することを最も主要な特徴とする。
【発明の効果】
【００１０】
本発明の印鑑は、押印者が通常、印鑑を押印している状態で押印できるため、押印者は押印回数を意識することなく押印可能となり。押印回数はリアルタイムに自動表示するため押印作業の前後を問わずいつでも押印回数の把握が可能になるという利点がある。
【００１１】
また、日々の押印回数を管理することにより、不正な押印などがあった際、押印日時の情報からいち早く不正を発見する一助とすることができる。
【００１２】
さらに、押印者が押印する際に自己認識を高めることができ、自己管理の有効な意識付けとなり、誤押印防止、軽率な押印の未然防止できるという利点がある。
【図面の簡単な説明】
【００１３】
【図１】図１印鑑アダプタータイプの内部構造の側面を示した説明図である。
【図２】図２下面を示した説明図である。
【図３】図３制御のブロック図である。
【図４】押印カウンタ機能内蔵の一体型印鑑本体の内部構造の側面を示した説明図である。
【図５】高機能型一体型印鑑本体内部構造の側面を示した説明図
【発明を実施するための形態】
【００１４】
数本の指で持てる印鑑サイズの装置にするという目的のため、押印検知スイッチ、制御部及び表示器、ボタン電池を主要として最小の部品点数で実現した。
【実施例１】
【００１５】
押印時には、図１の５のバネの収縮により一定以上の圧力により４の押印検知スイッチの接点に触れる。押印後は、バネの復帰力によりスイッチ接点は元の状態に戻る。
一体型印鑑の場合の内部構造の機構は上記と同様であり図４に示す。
【００１６】
接合台６は本装置と、印鑑を固定する粘着性を持った接合台である。
【００１７】
４の検知スイッチにより発生したパルス情報をもとに押印回数をカウントアップし、表示部３の液晶で表示する。
押印行為により４の検知スイッチの接点が触れた際、ブザー９が短音を発し、押印実行と押印カウントアップしたことを音で知らせる。
【００１８】
表示切り替えスイッチ２は、これまでに押印した回数の累計、年、月、日、単位に表示させたいときには、必要に応じて切り替える機能。
【００１９】
図３の時計部の情報に基づき押印した日時情報が、メモリー部に格納される。
使用者は、押印回数を目視確認でき、押印管理簿への記入時、集計時においての確認が容易になる。
【実施例２】
【００２０】
押印時、うす暗い場所で押印する状況時では、必要に応じてＬＥＤスイッチを押し続けることで、ＬＥＤを光源とする。
【産業上の利用可能性】
【００２１】
時計機能による時刻表示機能、LED発光による薄暗いところでの書類確認と押印が容易となる。発展形態は次のとおりである。
【００２２】
本体に無線ＬＡＮ機能を組み込むことにより押印した情報をＮＷを介して遠隔地においてデータベースサーバーとの連動によりリアルタイムに押印情報の管理が可能となる。
【００２３】
本体の先端に小型カメラを組み込み押印時の書面の証拠画像情報のデータ保存により、高精度な押印実施情報の管理が可能となる。
【００２４】
本体側面に指紋認証センサーを組み込んだ形態では、無線LANとの併用により押印者を一部の者に限定することができる。また複数の者を許容した場合でも押印者の特定が容易となる。
【００２５】
本体内部に、電磁石とバネによる爪のロックまたは解除する電動ロック爪を設けることより、無線LAN及び指紋認証装置の併用により、利用者の限定または指定及び、利用日時指定が可能となり、利用可能時のみに、バネと押印検知スイッチ間に位置する電動ロック爪が解除されバネの伸びによる印鑑部が突出して押印可能となる。  収納時には4の収納用スライドを爪がロック位置までくるまで手動で手前にスライドさせる。
これらの機能の併用により押印管理システム及び、印鑑使用管理システムの複数システムが同一システム上で構築・運用が容易となる。
【００２６】
特に重要書類においては、高機能型一体型印鑑を用いることで、あらかじめ押印周辺部分に透かしによる書類名印刷、ＱＲ情報などを印刷しておき、押印時に小型カメラで読み込み指紋認証装置及び電動ロックによる管理で押印管理精度が高めることができ、不正押印の早期発見、軽率な誤印を未然に防止するなど安心・安全な社会形成の一環として貢献可能となる。
【図１】
2009298152.tif 000003
【図２】
2009298152.tif 000004
【図３】
2009298152.tif 000005
【図４】
2009298152.tif 000006
【図５】
2009298152.tif 000007